【手続補正書】
【提出日】平成27年5月18日(2015.5.18)
【手続補正１】
【補正対象書類名】特許請求の範囲
【補正対象項目名】全文
【補正方法】変更
【補正の内容】
【特許請求の範囲】
【請求項１】
無線通信のための方法であって、
ユーザ機器（ＵＥ）によって制御メッセージを受信することと；
前記制御メッセージのリソース割付フィールドに基づいて前記ＵＥに割り当てられたリソースを決定することと、なお、前記リソース割付フィールドは、複数のシステム帯域幅の中から前記ＵＥについて選択されたシステム帯域幅について前記ＵＥに割り当てられた前記リソースのインジケーションを備え、前記複数のシステム帯域幅は、前記リソース割付フィールドの同じサイズであるが前記リソース割付フィールドの異なる解釈と関連づけられ、各システム帯域幅についての前記リソースマッピングは、前記リソース割付フィールドの複数の設定に対し異なる割り当てられたリソースを定義する；
前記ＵＥによって前記割り当てられたリソース上で通信することと；
を備える方法。
【請求項２】
前記複数のシステム帯域幅は、第１のシステム帯域幅と第２のシステム帯域幅を備え、前記第２のシステム帯域幅は、前記第１のシステム帯域幅の少なくとも一部分と追加帯域幅を備える、請求項１に記載の方法。
【請求項３】
前記複数のシステム帯域幅は、シングルキャリアの異なる周波数レンジを備え、前記ＵＥについて選択された前記システム帯域幅は、前記ＵＥへのデータ送信に利用可能な前記シングルキャリアの周波数レンジを備える、請求項１に記載の方法。
【請求項４】
前記選択されたシステム帯域幅に基づいて前記リソース割付フィールドのサイズを決定すること、をさらに備える請求項１に記載の方法。
【請求項５】
前記ＵＥに割り当てられた前記リソースを決定することは、
前記割り当てられたリソースが前記第１のシステム帯域幅についてである場合には、前記リソース割付フィールドの第１サイズに基づいて前記ＵＥに割り当てられた前記リソースを決定することと、
前記割り当てられたリソースが前記第２のシステム帯域幅についてである場合には、前記リソース割付フィールドの第２サイズに基づいて前記ＵＥに割り当てられた前記リソースを決定することと、
を備える、請求項２に記載の方法。
【請求項６】
前記ＵＥに割り当てられた前記リソースを決定することは、
前記割り当てられたリソースが前記第１のシステム帯域幅についてである場合には、前記リソース割付フィールドのための第１のリソースマッピングに基づいて前記ＵＥに割り当てられた前記リソースを決定することと、なお、前記第１のリソースマッピングは、前記リソース割付フィールドの第１の複数の設定についての前記第１のシステム帯域幅において異なる割り当てられたリソースを定義する；
前記割り当てられたリソースが前記第２のシステム帯域幅についてである場合には、前記リソース割付フィールドのための第２のリソースマッピングに基づいて前記ＵＥに割り当てられた前記リソースを決定することと、なお、前記第２のリソースマッピングは、前記リソース割付フィールドの第２の複数の設定についての前記第２のシステム帯域幅において異なる割り当てられたリソースを定義する；
を備える、請求項２に記載の方法。
【請求項７】
前記ＵＥに割り当てられた前記リソースを決定することは、
前記制御メッセージが複数のＵＥのための共通サーチスペースにおいて受信される場合には、前記リソース割付フィールドについての前記第１のシステム帯域幅に基づいて前記ＵＥに割り当てられた前記リソースを決定することと、
前記制御メッセージが前記ＵＥのためのＵＥ特有サーチスペースにおいて受信される場合には、前記リソース割付フィールドについての前記第２のシステム帯域幅に基づいて前記ＵＥに割り当てられた前記リソースを決定することと、
を備える、請求項２に記載の方法。
【請求項８】
前記ＵＥに割り当てられた前記リソースを決定することは、
前記制御メッセージが複数のＵＥへブロードキャストメッセージとして送信される場合には、前記リソース割付フィールドについての前記第１のシステム帯域幅に基づいて前記ＵＥに割り当てられた前記リソースを決定することと、
前記制御メッセージが前記ＵＥへユニキャストメッセージとして送信される場合には、前記リソース割付フィールドについての前記第２のシステム帯域幅に基づいて前記ＵＥに割り当てられた前記リソースを決定することと、
を備える、請求項２に記載の方法。
【請求項９】
前記ＵＥに割り当てられた前記リソースを決定することは、
前記リソース割付フィールドに基づいて、また、ダウンリンク制御情報（ＤＣＩ）フォーマットのセットの中のＤＣＩフォーマットにしたがって、前記ＵＥに割り当てられた前記リソースを決定することを備える、請求項１に記載の方法。
【請求項１０】
前記割り当てられたリソースは、ダウンリンク上のデータ送信についてであり、前記割り当てられたリソース上で通信することは、前記割り当てられたリソース上で前記ＵＥへ送信されたデータ送信を受信することを備える、請求項１に記載の方法。
【請求項１１】
前記割り当てられたリソースは、アップリンク上のデータ送信についてであり、前記割り当てられたリソース上で通信することは、前記ＵＥによって前記割り当てられたリソース上でデータ送信を送信することを備える、請求項１に記載の方法。
【請求項１２】
無線通信のための装置であって、
ユーザ機器（ＵＥ）によって制御メッセージを受信するための手段と；
前記制御メッセージのリソース割付フィールドに基づいて、前記ＵＥに割り当てられたリソースを決定するための手段と、なお、前記リソース割付フィールドは、複数のシステム帯域幅の中から前記ＵＥについて選択されたシステム帯域幅について前記ＵＥに割り当てられた前記リソースのインジケーションを備え、前記複数のシステム帯域幅は、前記リソース割付フィールドの同じサイズであるが前記リソース割付フィールドの異なる解釈と関連づけられ、各システム帯域幅についての前記リソースマッピングは、前記リソース割付フィールドの複数の設定に対し異なる割り当てられたリソースを定義する；
前記ＵＥによって前記割り当てられたリソース上で通信するための手段と；
を備える装置。
【請求項１３】
前記選択されたシステム帯域幅に基づいて前記リソース割付フィールドのサイズを決定するための手段、をさらに備える請求項１２に記載の装置。
【請求項１４】
前記ＵＥに割り当てられた前記リソースを決定するための手段は、
前記制御メッセージが複数のＵＥのための共通サーチスペースにおいて受信される場合には、前記リソース割付フィールドについての第１のシステム帯域幅に基づいて前記ＵＥに割り当てられた前記リソースを決定するための手段と、
前記制御メッセージが前記ＵＥのためのＵＥ特有サーチスペースにおいて受信される場合には、前記リソース割付フィールドについての第２のシステム帯域幅に基づいて前記ＵＥに割り当てられた前記リソースを決定するための手段と、
を備える、請求項１２に記載の装置。
【請求項１５】
前記ＵＥに割り当てられた前記リソースを決定するための手段は、
前記制御メッセージが複数のＵＥへブロードキャストメッセージとして送信される場合には、前記リソース割付フィールドについての第１のシステム帯域幅に基づいて前記ＵＥに割り当てられた前記リソースを決定するための手段と、
前記制御メッセージが前記ＵＥへユニキャストメッセージとして送信される場合には、前記リソース割付フィールドについての第２のシステム帯域幅に基づいて前記ＵＥに割り当てられた前記リソースを決定するための手段と、
を備える、請求項１２に記載の装置。
【請求項１６】
無線通信のための装置であって、
ユーザ機器（ＵＥ）によって制御メッセージを受信するように；
前記制御メッセージのリソース割付フィールドに基づいて前記ＵＥに割り当てられたリソースを決定するように、なお、前記リソース割付フィールドは、複数のシステム帯域幅の中から前記ＵＥについて選択されたシステム帯域幅について前記ＵＥに割り当てられた前記リソースのインジケーションを備え、前記複数のシステム帯域幅は、前記リソース割付フィールドの同じサイズであるが前記リソース割付フィールドの異なる解釈と関連づけられ、各システム帯域幅についての前記リソースマッピングは、前記リソース割付フィールドの複数の設定に対し異なる割り当てられたリソースを定義する；
前記ＵＥによって前記割り当てられたリソース上で通信するように；
構成された少なくとも１つのプロセッサ、を備える装置。
【請求項１７】
前記少なくとも１つのプロセッサは、前記選択されたシステム帯域幅に基づいて前記リソース割付フィールドのサイズを決定するように構成される、請求項１６に記載の装置。
【請求項１８】
前記少なくとも１つのプロセッサは、
前記制御メッセージが複数のＵＥのための共通サーチスペースにおいて受信される場合には、前記リソース割付フィールドについての第１のシステム帯域幅に基づいて前記ＵＥに割り当てられた前記リソースを決定するように、および
前記制御メッセージが前記ＵＥのためのＵＥ特有サーチスペースにおいて受信される場合には、前記リソース割付フィールドについての第２のシステム帯域幅に基づいて前記ＵＥに割り当てられた前記リソースを決定するように、
構成される、請求項１６に記載の装置。
【請求項１９】
前記少なくとも１つのプロセッサは、
前記制御メッセージが複数のＵＥへブロードキャストメッセージとして送信される場合には、前記リソース割付フィールドについての第１のシステム帯域幅に基づいて前記ＵＥに割り当てられた前記リソースを決定するように、および
前記制御メッセージが前記ＵＥへユニキャストメッセージとして送信される場合には、前記リソース割付フィールドについての第２のシステム帯域幅に基づいて前記ＵＥに割り当てられた前記リソースを決定するように、
構成される、請求項１６に記載の装置。
【請求項２０】
ユーザ機器（ＵＥ）によって制御メッセージを受信する手順と；
前記制御メッセージのリソース割付フィールドに基づいて前記ＵＥに割り当てられたリソースを決定する手順と、なお、前記リソース割付フィールドは、複数のシステム帯域幅の中から前記ＵＥについて選択されたシステム帯域幅について前記ＵＥに割り当てられた前記リソースのインジケーションを備え、前記複数のシステム帯域幅は、前記リソース割付フィールドの同じサイズであるが前記リソース割付フィールドの異なる解釈と関連づけられ、各システム帯域幅についての前記リソースマッピングは、前記リソース割付フィールドの複数の設定に対し異なる割り当てられたリソースを定義する；
前記ＵＥによって前記割り当てられたリソース上で通信する手順と；
をコンピュータに実行させるためのプログラム。